(57)【特許請求の範囲】
【請求項１】
メスの位置調節のためにミシン機枠の後方にて軸支され水平なＡ矢印方向に回動されてミシン機枠に開放可能に設けられている布台と、ルーパに糸を通すためにミシン機枠２の前面に設けられて、前記布台の開放方向と反対のＢ矢印直線方向に開放可能に支持されるルーパカバーとを設け、該ルーパカバーまたは前記布台の少なくともいずれか一方を開放した際、布台またはルーパカバーの開放動作の検出に基づいて、ミシンを駆動するモータの運転を停止状態にする単一の安全スイッチを備えた縁かがり縫いミシンであって、  前記機枠にＢ矢印直線方向である軸方向の移動のルーパカバーの開閉動作により軸方向に移動する第１の軸部が設けられ、前記ミシン機枠の後方にて軸支され水平なＡ矢印方向に回動された布台の開閉動作により軸方向に移動する第２の軸部が設けられ、前記第１の軸部と前記第２の軸部には軸部に固着の腕部に形成した傾斜面を互いに係合することで、少なくともいずれか一方の軸部の軸方向移動に対して、移動する側の軸部を回転させて、前記第１の軸部または前記第２の軸部の回転により前記安全スイッチを作動してミシンを停止状態に制御するようにしたことを特徴とする縁かがり縫いミシンにおける安全装置。
【請求項２】
メスの位置調節のためにミシン機枠の後方にて軸支され水平なＡ矢印方向に回動されてミシン機枠に開放可能に設けられている布台と、ルーパに糸を通すためにミシン機枠２の前面に設けられて、前記布台の開放方向と反対のＢ矢印直線方向に開放可能に支持されるルーパカバーとを設け、該ルーパカバーまたは前記布台の少なくともいずれか一方を開放した際、布台またはルーパカバーの開放動作の検出に基づいて、ミシンを駆動するモータの運転を停止状態にする単一の安全スイッチを備えた縁かがり縫いミシンであって、
前記機枠にＢ矢印直線方向である軸方向の移動のルーパカバーの開閉動作により軸方向に移動する第１の軸部が設けられ、前記ミシン機枠の後方にて軸支され水平なＡ矢印方向に回動された布台の開閉動作により軸方向に移動する第２の軸部が設けられ、前記第１の軸部と前記第２の軸部には軸部に固着の腕部に形成した傾斜面を互いに係合することで、少なくともいずれか一方の軸部の軸方向移動に対して、移動する側の軸部を回転させて、前記第１の軸部または前記第２の軸部の回転により前記安全スイッチを作動して、ミシンを停止状態に切換えるようにしたことを特徴とする縁かがり縫いミシンにおける安全装置。
【請求項３】
前記安全スイッチのＯＦＦ信号によりＯＦＦ状態を表示する表示手段を備えたことを特徴とする請求項１または請求項２記載の縁かがり縫いミシンにおける安全装置。
【発明の詳細な説明】
【０００１】
【発明の属する技術分野】
本発明は縁かがり縫いミシンにおける安全装置に関するものであり、殊にルーパカバー及び布台のいずれか一方でも開放された状態ではミシンの運転を不可能にし、作業者或いはミシンの運動部分の安全を図る装置に関するものである。
【０００２】
【従来の技術】
従来より、縁かがり縫いミシンではルーパに糸を通す時にはルーパカバーを開放して行い、メスの位置調節やメスの解除及び復帰の時には布台を開放して行っているが、従来の縁かがり縫いミシンでは前述のような作業状態中に、若し駆動モータの操作部を誤って操作してしまうと、ミシンが突然運転する為作業者が怪我をしたり、或いはミシンの運動部分が衝突して破損する等危険な事態を起こし易い構造を有していた。
【０００３】
【発明が解決しようとする課題】
本発明は縁かがり縫いミシンに於いてルーパに糸を通す為に或いは機構の点検等の為にルーパカバーを開放している状態及びメスの位置調節の為に或いは機構の点検等の為に布台を開放している状態の両状態のうち、少なくともいずれか一方の状態にある時にはミシンの運転操作部を操作してもミシンが運転不可能な状態にしておき、前述の種々の作業を安全に遂行できるようにすることを目的とする。
また、従来のこのために大掛かりな連動機構を備えたものに比べて、極めてコンパクトに形成することも特徴的な目的である。
【０００４】
【課題を解決するための手段】
本発明は、メスの位置調節のためにミシン機枠の後方にて軸支され水平なＡ矢印方向に回動されてミシン機枠に開放可能に設けられている布台と、ルーパに糸を通すためにミシン機枠２の前面に設けられて、前記布台の開放方向と反対のＢ矢印直線方向に開放可能に支持されるルーパカバーとを設け、該ルーパカバーまたは前記布台の少なくともいずれか一方を開放した際、布台またはルーパカバーの開放動作の検出に基づいて、ミシンを駆動するモータの運転を停止状態にする単一の安全スイッチを備えた縁かがり縫いミシンであって、  前記機枠にＢ矢印直線方向である軸方向の移動のルーパカバーの開閉動作により軸方向に移動する第１の軸部が設けられ、前記ミシン機枠の後方にて軸支され水平なＡ矢印方向に回動された布台の開閉動作により軸方向に移動する第２の軸部が設けられ、前記第１の軸部と前記第２の軸部には軸部に固着の腕部に形成した傾斜面を互いに係合することで、少なくともいずれか一方の軸部の軸方向移動に対して、移動する側の軸部を回転させて、前記第１の軸部または前記第２の軸部の回転により前記安全スイッチを作動してミシンを停止状態に制御するようにしたことを特徴とする縁かがり縫いミシンにおける安全装置とすることにより、課題を解決した。
さらに本発明は、メスの位置調節のためにミシン機枠の後方にて軸支され水平なＡ矢印方向に回動されてミシン機枠に開放可能に設けられている布台と、ルーパに糸を通すためにミシン機枠２の前面に設けられて、前記布台の開放方向と反対のＢ矢印直線方向に開放可能に支持されるルーパカバーとを設け、該ルーパカバーまたは前記布台の少なくともいずれか一方を開放した際、布台またはルーパカバーの開放動作の検出に基づいて、ミシンを駆動するモータの運転を停止状態にする単一の安全スイッチを備えた縁かがり縫いミシンであって、前記機枠にＢ矢印直線方向である軸方向の移動のルーパカバーの開閉動作により軸方向に移動する第１の軸部が設けられ、前記ミシン機枠の後方にて軸支され水平なＡ矢印方向に回動された布台の開閉動作により軸方向に移動する第２の軸部が設けられ、前記第１の軸部と前記第２の軸部には軸部に固着の腕部に形成した傾斜面を互いに係合することで、少なくともいずれか一方の軸部の軸方向移動に対して、移動する側の軸部を回転させて、前記第１の軸部または前記第２の軸部の回転により前記安全スイッチを作動して、ミシンを停止状態に切換えるようにしたことを特徴とする縁かがり縫いミシンにおける安全装置とすることにより、課題を解決した。
さらに本発明は、前記安全スイッチのＯＦＦ信号によりＯＦＦ状態を表示する表示手段を備えたことを特徴とする縁かがり縫いミシンにおける安全装置とすることにより、課題を解決した。
【０００５】
【作用】
上記構成により、ルーパーカバー及び布台の閉塞時には第１作動腕に装着された操作腕が安全スイッチを押圧してＯＮ状態として、ミシンの始動を許可し、ルーパーカバーの開放時には第１作動軸が作動し
て操作腕の安全スイッチへの押圧を開放してＯＦＦ状態としてミシンの始動を禁止する。また、布台の開放時には布台の開閉に連動する第２作動軸の動作に第１作動軸が連動して操作腕の安全スイッチへの押圧を開放してＯＦＦ状態としてミシンの始動を禁止する。
また、安全スイッチのＯＦＦ信号出力に対して、ＯＦＦ状態を表示する手段が始動禁止状態を表示する。
【０００６】
【発明の実施の形態】
本発明の一実施例の構造について図面により以下に説明する。
図１において、ミシン機枠１は上部の上機枠２と下部の下機枠３とで一体的に構成されており、前記上機枠２には左側に顎部４が形成され、該顎部には下方に向けて上下動可能な針棒５及び押さえ棒６が支持されており、上機枠の前面にはパネル７が設けられ、該パネルには複数の糸調子装置８、８が設けられている。
【０００７】
前記顎部５に支持される針棒５及び押さえ棒６の下方の前記下機枠３上には針板９が設けられ、該針板の左側及び前後には針板の上面と略同一高さの面を形成する布台１０が設けられていて、該布台は水平方向に回動されうるように後方にて軸支されＡ矢印方向に開放可能に設けられている。
【０００８】
前記布台１０は下機枠に固着される基台１１に設けられた布切断用のメス及びメス取り付け位置調節機構（いずれも図示せず）等をカバーすると共に上面が被縫製物を載置する作業台になっている。
【０００９】
前記上機枠２の前面に設けられたパネル７の下方の下機枠３にはルーパカバー１２が設けられており、該ルーパカバーはまず左右へのＢ矢印直線方向と次いで前後へのＣ矢印旋回方向の２方向の操作にて開放可能に支持されており、復帰運動の際には前記基台１１の側面により案内され、前記下機枠３に設けられたルーパ及びルーパ揺動機構（いずれも図示せず）をカバーしている。
【００１０】
図２は前記布台１０及びルーパカバー１２の復帰途中の状態を示すものであり、図２を参照して前記基台１１には安全装置の機構台１３が固着されており、該機構台にはそれぞれ軸方向の移動と回転とが可能な第１作動軸１４及び第２作動軸１５が支持されており、前記第１作動軸１４には第１作動腕１６と操作腕１７とが固着されており、第１作動軸は軸上に装着されたばね１８により常には図２における軸線方向のＥ矢印方向と回転方向のＦ矢印方向に付勢されており、又前記第２作動軸１５には第２作動腕１９が固着されており、第２作動軸は軸上に装着されたばね２０により常に図２における軸線方向のＧ矢印方向に付勢されている。
【００１１】
前記第１作動腕１６には第１作動軸１４の軸線方向に傾斜する傾斜面２１が形成されており、又前記第２作動腕１９には腕部の一部に第２作動軸の軸線方向に傾斜する第２傾斜面２２が形成されていて、該第２傾斜面と前記傾斜面２１とは前記布台１０及び前記ルーパカバー１２を閉じる際互いにそれぞれ支持される軸部の軸線方向に接触した後回転方向に作用し合っている。
【００１２】
前記機構台１３には適宜の位置にマイクロスイッチ２３が取り付けられており、該マイクロスイッチはミシンの駆動制御回路に接続され、操作されている時のみミシンモータを駆動してミシンを運転するように構成されている。
【００１３】
前記第１作動軸１４に固着された操作腕１７には腕部２４が設けられており、該腕部は前記第１作動軸１４が軸線方向に移動され且つ回転方向に回動されたときに前記マイクロスイッチ２３を操作する。
【００１４】
前記布台１０の適宜の位置には押し板２８が設けられており、該押し板は前記布台１０が閉じられた時前記第２作動軸１５の端部に当接し、該第２作動軸を図２に示すＧ矢印方向に移動せしめる。
【００１５】
本発明の一実施例の構造は以上の如きであるから、前記布台１０或いは前記ルーパカバー１２が開放されると前記第１作動軸１４或いは前記第２作動軸１５がそれぞれの軸部に装着したバネ１８或いは２０の作用により軸線方向のＥ矢印或いはＧ方向の矢印の方向にそれぞれ移動せしめられる為、第１作動軸１４に設けられている操作腕１７が第１作動軸１４の軸線方向に移動するか或いは回転方向に回動するので前記マイクロスイッチ２３から離反せしめられる。該マイクロスイッチの操作が解除されている状態ではＯＦＦ信号が出力されて、モータの駆動回路２５から駆動停止信号が出力されてミシンモータ２６は停止制御される。またＯＦＦ信号に基づいて停止状態表示手段２７によりカバー開放により停止状態であることを表示する。
【００１６】
次に前記布台１０及び前記ルーパカバー１２を共に閉じると、前記第１作動軸１４が前記ルーパカバー１２の端部により押されてＥ矢印の反対方向に移動せしめられると共に前記第２作動軸１５が前記布台１０の押し板２８により押されてＧ矢印の方向に移動せしめられる。
【００１７】
斯くのごとく第１作動軸１４と第２作動軸１５が互いに反対方向に移動せしめられると該第２作動軸に固着された第２作動腕１９の傾斜面２３が第１作動軸１４に固着された第１作動腕１６の傾斜面２１に当接し、第１作動腕１６と共に第１作動軸１４をＦ矢印の反対方向に微量に回転せしめるので第１作動軸１４に固着された前記操作腕１７の腕部２４が前記マイクロスイッチ２３を操作してＯＮ状態として、モータの駆動回路２５にＯＮ信号を出力してミシンを運転可能な状態にする。
【００１８】
前記布台１０及び前記ルーパカバー１２のうち一方でも開放された状態では前記マイクロスイッチ２３は操作されない為ＯＦＦ状態となって、モータの駆動回路２５へＯＦＦ信号を出力してミシンの運転は不可能な状態となる。
【００１９】
即ち、前記ルーパカバー１２が閉じられていて、第１作動軸１４がＥと反対方向に移動した状態であっても前記布台１０が開放された状態では該布台の押し板２８がＧと反対方向に移動して第２作動軸１５がＧと反対方向に移動するから、該第２作動軸に固着した第２作動腕１９が第１作動軸１４に固着の第１作動腕１６に当接することができないので、第１作動軸１４は第１作動腕１６と第２作動腕１９のそれぞれの傾斜面２１及び２２の当接により生じる回転方向の作用力を受けることが出来ない。その為、該第１作動軸に固着の操作腕１７によるマイクロスイッチ２３に対する操作が行われないことになる。
【００２０】
又、前記布台１０が閉じられていても前記ルーパカバー１２が開放された状態では該ルーパカバーによる第１作動軸１４に対する作用がないため、該第１作動軸はばね１８の作用により軸方向Ｅ方向に移動した後退位置であって（図２においてＲにて示す移動量）該第１作動軸に固着した第１作動腕１６が第２作動軸１５に固着の第２作動腕１９に当接することが出来ないので、前述の如く第１作動軸１４は第１作動腕１６及び第２作動腕１９のそれぞれの傾斜面の当接により生じる回転方向の作用力を受けることが出来ない。その為、該第１作動軸に固着の操作腕１７によるマイクロスイッチ２３に対する操作がおこなわれないことになる。
【００２１】
尚、第１作動腕１６の回転位置は第７図のようにバネ２４によって機構台１３に当接して軸方向移動をガイドされている。第２作動腕１９の軸方向移動により傾斜面２１、２２の当接作用により第１作動腕１６はバネ２４の付勢に抗して第８図のように回転するように構成されている。
【００２２】
【効果】
本発明は以上の如き構造及び作用を成すものであるから、ルーパに糸を通す為或いはルーパの点検や調整を行う為にルーパカバーを開放している状態及び布切断用のメスの点検や位置の調整の為に布台を開放している状態ではミシンの駆動用モータの駆動制御回路が通電を断たれている為、誤って駆動用モータの運転操作部を操作したとしてもミシンは運転されないので安心して糸通し作業や点検作業を行うことが出来るものであり、実用上及び安全上の効果が著しく大なるものである。
【図面の簡単な説明】
図面は本発明の実施例を示すものにして、図１は本発明を内蔵せるミシンの外観斜面図、図２は本発明の要部を示す一部断面にて示す正面図、図３は本発明の要部を分解した斜面図、図４は図２の一部を詳細に示す要部拡大正面図、図５は図４の側面図、図６は本発明の要部拡大側面図、図７は図５の別実施例の側面図、図８は図７の作動時の説明図、図９は安全スイッチの動作説明図である。
１…ミシン機枠
１０…布台
１２…ルーパカバー
１４…第１作動軸
１５…第２作動軸
１６…第１作動腕
１９…第２作動腕
２１…傾斜部
２２…傾斜部
２３…マイクロスイッチ
２４…操作腕
【図１】
0003633676.tif 000002
【図２】
0003633676.tif 000003
【図３】
0003633676.tif 000004
【図４】
0003633676.tif 000005
【図５】
0003633676.tif 000006
【図６】
0003633676.tif 000007
【図７】
0003633676.tif 000008
【図８】
0003633676.tif 000009
【図９】
0003633676.tif 000010